(57)【要約】【課題】  電話番号を入力するだけで、目的地までの正確な経路情報を、他人に手間をかけさせることなく音声により得ることができる小型で携帯に適した経路情報提示装置を提供する。【解決手段】  装置自体の現在位置を求め、電話番号に対応して目的位置を記憶し、入力された電話番号に対応する目的位置を求める。その求めた現在位置から入力された電話番号に対応する目的位置までの経路情報を、記憶した地図情報に基づいて求める。その経路情報を音声として出力する。【選択図】        図３
2004301845.tif 000002
【特許請求の範囲】
【請求項１】
経路情報を音声により提示する装置であって、この装置自体の現在位置を求める手段と、電話番号の入力手段と、電話番号に対応して目的位置を記憶する手段から前記入力された電話番号に対応する目的位置を求める手段と、地図情報を記憶する手段から前記現在位置から目的位置までの経路情報を求める手段と、その経路情報を音声として出力する手段とを備えることを特徴とする携帯型経路情報提示装置。
【発明の詳細な説明】
【技術分野】
【０００１】
本発明は、現在位置から目的位置までの経路情報を音声により提示する携帯型の経路情報提示装置に関する。
【背景技術】
【０００２】
近年、場所を選ばずに使用できる携帯型の電話装置が普及してきている。この携帯型電話装置は、小型、軽量で場所を選ばず気軽に使用できることから、目的地に向かう途中での通話により、その通話相手から音声により目的地までの経路情報を得ることができる。 
【０００３】
また、ナビゲーション情報を得るものとして、ＧＰＳ（Global Positioning System ）を利用した車両搭載型の経路情報提示装置が普及してきている。これは、ＧＰＳによる現在位置の検知手段と、地図情報の記憶手段と、目的位置を地図における座標により入力する手段と、その検知された現在位置から入力された目的位置までの経路情報を記憶された地図情報から求める手段と、その求めた経路情報の出力装置とを備えている。
【発明の開示】
【発明が解決しようとする課題】
【０００４】
携帯型電話装置により通話を行ないながら目的地までの経路情報を得る場合、通話相手に時間や手間を掛けさせることになる。特に、その目的地に向かう人にとって全く未知の場所であると、地図を広げたり、頻繁に通話相手に案内を乞わなければならない。また、その通話相手の情報が不正確であると目的地に到達することができない。すなわち、携帯型電話装置はあくまで通話装置であって、ナビゲーション情報を得るのに適したものではない。 
【０００５】
車両搭載型の経路情報提示装置は、目的位置を地図における座標により入力するものであるため、目的位置の座標が正確にわからない場合は利用することができない。また、その経路情報は、画像表示装置により地図画像として出力するものであるため、大型の表示装置が必要である。そのため、車両に搭載することはできても、人が携帯するのに適したものではない。 
【０００６】
本発明は、上記課題を解決することのできる携帯型経路情報提示装置を提供することを目的とする。 
【課題を解決するための手段】
【０００７】
本発明の携帯型経路情報提示装置は、経路情報を音声により提示する装置であって、この装置自体の現在位置を求める手段と、電話番号の入力手段と、電話番号に対応して目的位置を記憶する手段から前記入力された電話番号に対応する目的位置を求める手段と、地図情報を記憶する手段から前記現在位置から目的位置までの経路情報を求める手段と、その経路情報を音声として出力する手段とを備えることを特徴とする。
【０００８】
本発明の携帯型経路情報提示装置の構成によれば、目的位置までの電話番号を入力すると、装置自体の現在位置から入力された電話番号に対応する目的位置までの経路情報が地図情報に基づき求められ、その求められた経路情報が音声として出力される。
【発明の効果】
【０００９】
本発明によれば、電話番号を入力するだけで、目的地までの正確な経路情報を、他人に手間をかけさせることなく音声により得ることができる小型で携帯に適した経路情報提示装置を提供できる。
【発明を実施するための最良の形態】
【００１０】
以下、図面を参照して本発明の実施形態を説明する。 
【００１１】
図１に示す携帯型経路情報提示装置１は、携帯型電話機を兼用するものであって、受話器２と、この受話器２にコード３を介し接続されるコントローラ４とを有する。その受話器２に、ＧＰＳを構成する人工衛星からの信号を受信するＧＰＳセンサ５が設けられている。また、図２に示すように、その受話器２には、電話番号の入力用押釦スイッチ１１と、スピーカ１２と、マイク１３と、液晶表示器１４とが設けられている。そのコントローラ４に機能切り換えスイッチ７が取り付けられ、このスイッチ７の操作により電話機能を奏する状態と経路情報提示機能を奏する状態とに切り換え可能とされている。 
【００１２】
図３に示すように、そのコントローラ４に中央処理装置（ＣＰＵ）を有する制御装置２１が内蔵されている。その制御装置２１にメモリユニット２２、センサコントローラ２３、センサデータ処理部２４、入力インターフェイス２５、表示器ドライバ２６、ＡＤＰＣＭ（音声デジタル信号変換器）ユニット２７、無線ユニット２８および上記機能切り換えスイッチ７が接続されている。なお、その機能切り換えスイッチ７を受話器２に配置し、入力インターフェイス２５を介して制御装置２１に接続してもよい。 
【００１３】
そのメモリユニット２２は、電話番号に対応して目的位置を記憶する目的位置メモリ２２ａと、地図情報を記憶する地図情報メモリ２２ｂと、経路情報提示用音声データを記憶する音声データメモリ２２ｃとから構成されている。その記憶される目的位置は、例えば経度と緯度とにより特定される。その記憶される地図情報は、例えば経度と緯度とに対応した道路配置、交差点や道路の分岐点等の進路選択位置の配置、建造物配置、進路選択位置間の距離、一方通行等の交通規制情報等により構成される。その記憶される音声データは、五十音データに加え、経路情報を提示する際に汎用される言葉、例えば「交差点」、「直進」、「左折」、「右折」等を表音するためのデータにより構成される。なお、メモリユニット２２は、電話番号や地図情報の変更等に対応できるように交換可能とされているのが好ましい。 
【００１４】
そのセンサコントローラ２３は、制御装置２１から送られる起動信号によりＧＰＳセンサ５を起動させる。そのセンサデータ処理部２４は、ＧＰＳセンサ５と制御装置２１のインターフェイスとして機能する。制御装置２１は、そのＧＰＳセンサ５により受信される人工衛星からの信号であってセンサデータ処理部２４を介して入力されたものに基づき、装置１自体の現在位置を演算する。 
【００１５】
その入力インターフェイス２５を介して上記押釦スイッチ１１から制御装置２１に電話番号に対応する信号が入力される。装置１が電話機として機能する状態では、制御装置２１は入力された電話番号に対応する信号を無線ユニット２８を介して電話局に送信し、通話先と接続されたならば、無線ユニット２８を介して入力される信号をＡＤＰＣＭユニット２７に送ると共に、ＡＤＰＣＭユニット２７を介して入力される信号を無線ユニット２８を介して電話局に送る。 
【００１６】
そのＡＤＰＣＭユニット２７は、制御装置２１から送られる信号をアナログ音声信号に復調してスピーカ１２に送ると共に、マイク１３から入力されたアナログ音声信号をデジタル信号に変調して制御装置２１に送る。 
【００１７】
その表示器ドライバ２６は、制御装置２１から送られる信号に基づき液晶表示器１４を駆動するもので、例えば、押釦スイッチ１１から入力される電話番号や、制御装置２１における処理の進捗状態等を表示する。 
【００１８】
上記装置１が経路情報提示機能を奏する状態において、押釦スイッチ１１により電話番号を入力インターフェイス２５を介して制御装置２１に入力すると、制御装置２１は、センサコントローラ２３を介してＧＰＳセンサ５を起動する。これによりＧＰＳセンサ５からセンサデータ処理部２４を介して入力される信号に基づき、制御装置２１は装置１自体の現在位置を演算する。また、制御装置２１は、その入力された電話番号に対応する目的位置を、目的位置メモリ２２ａを検索することで求める。次に、制御装置２１は、その求めた現在位置から検索した目的位置までの経路情報を、地図情報メモリ２２ｂを検索することで求める。その検索は、例えば、現在位置と目的位置との間の進路選択位置の組み合わせにより得られる経路の中で、最短距離のものを選択することで行なえる。なお、現在位置が高速道路や有料道路であって、利用者が車両を用いているのが明らかな場合には、一方通行の逆行するような経路は検索の対象から除外するようにしてもよい。その経路情報は、例えば進路選択位置それぞれの間の情報を単位情報として、その単位情報を順番に連ねたものにより構成され、各単位情報は、次の進路選択位置までの進行方位や進行距離、進路選択位置の目印になる建造物名称や地名、その進路選択位置での進行方向や進行距離等により構成される。次に、制御装置２１は、その求めた経路情報に基づき音声データメモリ２２ｃに記憶した音声データを合成し、経路誘導のための音声データを作成する。例えば、「現在位置の正面の交差点を渡って左手に歩いて下さい。次に、２００ｍ先の消防署の正面の交差点を右手に歩いて下さい。次に、…」といった音声データを合成する。次に、制御装置２１は合成した音声データをＡＤＰＣＭユニット２７を介してスピーカ１２から出力する。これにより、図４に示すように、利用者３０は経路情報を聞くことができる。なお、その経路情報を音声として出力するのみならず、液晶表示器１４に出力して読み取れるようにしてもよい。 
【００１９】
なお、上記実施形態に加えて、経路情報に影響を与える付加情報の受信手段を備え、その付加情報を加えて目的位置までの経路情報を求めるようにしてもよい。例えば、現在位置が高速道路や有料道路であって、利用者が車両を用いているのが明らかな場合には、道路の渋滞情報を受信するようにし、渋滞した道路は避けるように経路情報を求める。また、現在位置と目的位置とが非常に離れている場合は、目的位置の最寄りの駅、空港、バス停、高速道路出口等からの経路情報を出力するようにしてもよく、例えば、京都から札幌の特定地点への経路であれば、札幌駅や千歳空港からの経路を案内するので駅や空港から電話番号を再度入力するよう指示する音声を出力してもよい。また、一時停止スイッチを設け、そのスイッチ入力により経路情報の出力を一時停止させるようにしてもよい。また、鉄道やバス等の交通機関の情報も記憶し、目的地に向かうために利用する交通機関も経路情報として出力してもよい。
【図面の簡単な説明】
【００２０】
【図１】本発明の実施形態の携帯型経路情報提示装置の斜視図
【図２】本発明の実施形態の受話器の正面図
【図３】本発明の実施形態の携帯型経路情報提示装置の構成説明用ブロック図
【図４】本発明の実施形態の携帯型経路情報提示装置の利用状態説明図
【符号の説明】
【００２１】
５ ＧＰＳセンサ
１１ 押釦スイッチ
１２ スピーカ
２１ 制御装置
２２ａ 目的位置メモリ
２２ｂ 地図情報メモリ
２２ｃ 音声データメモリ
【図１】
2004301845.tif 000003
【図２】
2004301845.tif 000004
【図３】
2004301845.tif 000005
【図４】
2004301845.tif 000006